【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
メディアコンテンツに関連付けられた情報を提供するコンピュータ実施方法であって、
前記メディアコンテンツを再生するように構成された再生装置に関連付けられた通信アドレスを同報通信する工程であって、前記同報通信された通信アドレスは、ユーザ端末装置が前記再生装置と通信することを可能にする、工程と、
前記メディアコンテンツに関連付けられた情報を取得する要求を前記ユーザ端末装置から受信する工程と、
前記メディアコンテンツの現在の再生時間に基づいて、第１の情報に関連付けられた第１の識別子を判断する工程であって、前記第１の情報は前記メディアコンテンツに関連付けられる、工程と、
前記第１の識別子を前記ユーザ端末装置へ送信する工程と
を含み、
前記第１の識別子は、前記ユーザ端末装置が前記第１の情報を取得するためにサーバに前記第１の識別子を提供することを可能にする、コンピュータ実施方法。
【請求項２】
前記第１の識別子は、前記第１の情報を格納するロケーションに関連付けられたネットワークアドレスを含む、請求項１に記載の方法。
【請求項３】
前記第１の識別子は、前記第１の情報を格納するロケーションに関連付けられたネットワークアドレスに関連付けられ、前記第１の識別子は、前記ユーザ端末装置が前記サーバから前記ネットワークアドレスを取得することを可能にする、請求項１に記載の方法。
【請求項４】
前記第１の識別子は、前記メディアコンテンツのうちの１つを格納するファイルの名前に関連付けられ、前記第１の情報に関連付けられた前記第１の識別子を判断する工程は、
前記ファイルの前記名前を取得する工程と、
前記ファイルの前記取得された名前に基づき前記第１の識別子を判断する工程と
を含む、請求項１に記載の方法。
【請求項５】
さらに、
前記現在の再生時間に応じて、次の再生時間を判断する工程と、
前記判断した次の再生時間に基づき、第２の情報に関連付けられた第２の識別子を判断する工程であって、前記第２の情報は前記メディアコンテンツに関連付けられる、工程と、
前記ユーザ端末装置が前記第２の情報を取得するために前記サーバに前記第２の識別子を提供することを可能にすべく、前記第２の識別子を前記ユーザ端末装置へ送信する工程と
を含む、請求項１に記載の方法。
【請求項６】
前記ユーザ端末装置と前記再生装置とは非認証無線接続を介して通信する、請求項１に記載の方法。
【請求項７】
メディアコンテンツに関連付けられた情報を取得するコンピュータ実施方法であって、
前記メディアコンテンツを再生するように構成された再生装置の通信アドレスを同報通信メッセージから判断する工程と、
前記メディアコンテンツに関連付けられた情報を取得する第１の要求を前記再生装置の前記判断された通信アドレスへ送信する工程と、
前記メディアコンテンツの現在の再生時間に関連付けられた識別子を受信する工程と、
前記識別子を含む第２の要求をサーバに送信する工程と、
前記サーバから前記情報を取得する工程と
を含む、コンピュータ実施方法。
【請求項８】
識別子とメディアコンテンツとを関連付けるコンピュータ実施方法であって、
前記メディアコンテンツを再生するように構成された再生装置からメディアコンテンツのファイルのリストを取得する工程であって、前記ファイルのリストのそれぞれは１つまたは複数の再生時間に関連付けられる、工程と、
複数の識別子と前記再生時間とを関連付けるマッピング表を前記リストに基づき判断する工程と
を含み、
前記マッピング表は、前記メディアコンテンツに関連付けられた情報の要求に応じて前記再生装置が前記メディアコンテンツの現在の再生時間に基づいて前記複数の識別子のうちの第１の識別子を提供することを可能にし、
前記第１の識別子は、前記メディアコンテンツに関連付けられた情報をサーバから取得することを可能にする、コンピュータ実施方法。
【請求項９】
前記メディアコンテンツに関連付けられた前記情報を格納するロケーションの１つまたは複数のネットワークアドレスを取得する工程と、
前記再生時間と前記ネットワークアドレスとを関連付ける第２のリストを判断する工程と、
前記第２のリストを前記サーバに送信する工程と
をさらに含み、
前記第２のリストは、前記サーバが前記第１の識別子に基づいて前記ユーザ端末装置に前記１つまたは複数のネットワークアドレスのうちの第１のネットワークアドレスを提供することを可能にする、請求項８に記載の方法。
【請求項１０】
前記複数の識別子のそれぞれは、前記ファイルのリストのそれぞれに対して生成される、請求項９に記載の方法。
【請求項１１】
前記ネットワークアドレスは、認証された無線接続を介して提供される、請求項９に記載の方法。
【請求項１２】
メディアコンテンツに関連付けられた情報を提供する装置であって、
命令の組を格納するメモリと、
プロセッサであって、前記命令の組を実行して、前記装置に、
前記メディアコンテンツを再生するように構成された再生装置に関連付けられた通信アドレスを同報通信することであって、前記同報通信された通信アドレスは、ユーザ端末装置が前記再生装置と通信することを可能にする、同報通信することと、
前記メディアコンテンツに関連付けられた情報を取得する要求を前記ユーザ端末装置から受信することと、
前記メディアコンテンツの現在の再生時間に基づいて、第１の情報に関連付けられた第１の識別子を判断することであって、前記第１の情報は前記メディアコンテンツに関連付けられる、ことと、
前記第１の識別子を前記ユーザ端末装置へ送信することと
を行わせるように構成されるプロセッサとを含み、
前記第１の識別子は、前記ユーザ端末装置が前記第１の情報を取得するためにサーバに前記第１の識別子を提供することを可能にする、装置。
【請求項１３】
前記第１の識別子は、前記第１の情報を格納するロケーションに関連付けられたネットワークアドレスを含む、請求項１２に記載の装置。
【請求項１４】
前記第１の識別子は、前記第１の情報を格納するロケーションに関連付けられたネットワークアドレスに関連付けられ、前記第１の識別子は、前記ユーザ端末装置が前記サーバから前記ネットワークアドレスを取得することを可能にする、請求項１２に記載の装置。
【請求項１５】
前記第１の識別子は、前記メディアコンテンツのうちの１つを格納するファイルの名前に関連付けられ、前記第１の情報に関連付けられた前記第１の識別子を判断することは、前記プロセッサが、
前記ファイルの前記名前を取得することと、
前記ファイルの前記取得された名前に基づき前記第１の識別子を判断することと 
を行うように構成されることを含む、請求項１２に記載の装置。
【請求項１６】
前記プロセッサは、前記命令の組を実行して、前記装置に、
前記現在の再生時間に応じて、次の再生時間を判断する工程と、
前記判断した次の再生時間に基づき、第２の情報に関連付けられた第２の識別子を判断することであって、前記第２の情報は前記メディアコンテンツに関連付けられる、ことと、
前記ユーザ端末装置が前記第２の情報を取得するために前記サーバに前記第２の識別子を提供することを可能にすべく、前記第２の識別子を前記ユーザ端末装置へ送信することと
を行わせるように構成される、請求項１２に記載の装置。
【請求項１７】
前記ユーザ端末装置と前記再生装置とは非認証無線接続を介して通信する、請求項１２に記載の装置。
【請求項１８】
メディアコンテンツに関連付けられた情報を取得する装置であって、
命令の組を格納するメモリと、
プロセッサであって、前記命令の組を実行して、前記装置に、
前記メディアコンテンツを再生するように構成された再生装置の通信アドレスを同報通信メッセージから判断することと、
前記メディアコンテンツに関連付けられた情報を取得する第１の要求を前記再生装置の前記判断された通信アドレスへ送信することと、
前記メディアコンテンツの現在の再生時間に関連付けられた識別子を受信することと、
前記識別子を含む第２の要求をサーバに送信することと、
前記サーバから前記情報を取得することと
を行わせるように構成されるプロセッサとを含む、装置。
【請求項１９】
識別子とメディアコンテンツとを関連付ける装置であって、
命令の組を格納するメモリと、
プロセッサであって、前記命令の組を実行して、前記装置に、
前記メディアコンテンツを再生するように構成された再生装置からメディアコンテンツのファイルのリストを取得することであって、前記ファイルのリストのそれぞれは１つまたは複数の再生時間に関連付けられる、ことと、
複数の識別子と前記再生時間とを関連付けるマッピング表を前記リストに基づき判断することと
を行わせるように構成されるプロセッサとを含み、
前記マッピング表は、前記メディアコンテンツに関連付けられた情報の要求に応じて前記再生装置が前記メディアコンテンツの現在の再生時間に基づいて前記複数の識別子のうちの第１の識別子を提供することを可能にし、
前記第１の識別子は、前記メディアコンテンツに関連付けられた情報を前記サーバから取得することを可能にする、装置。
【請求項２０】
前記プロセッサは、前記命令の組を実行して、前記装置に、
前記メディアコンテンツに関連付けられた前記情報を格納するロケーションの１つまたは複数のネットワークアドレスを取得することと、
前記再生時間と前記ネットワークアドレスとを関連付ける第２のリストを判断することと、
前記第２のリストを前記サーバに送信することと
を行わせるようにさらに構成され、
前記第２のリストは、前記サーバが前記第１の識別子に基づいて前記ユーザ端末装置に前記１つまたは複数のネットワークアドレスのうちの第１のネットワークアドレスを提供することを可能にする、請求項１９に記載の装置。